(57)【要約】【課題】空調機において、吹き出し口から吹き出される気流は吹き出し口に近い場合は風速が０．５から１ｍ／秒になり、人が長時間この気流に当たるとその空気温度が２５から２７℃前後であっても皮膚の表面の汗等の蒸発するときの蒸発潜熱効果により皮膚温度が低下し、冷房病等の体調不良を誘引する。このことを解決するために、近くであっても風速を抑え、遠くの場合は気流がより届く様にすることが課題となる。【解決手段】壁掛け型および天井カセット型空調機の吹き出し口下方から前遠方に向かって、床面に平行に通気性平面材を設置し、冷房時には通気性平面材と天井面、または暖房時にはそれと壁面との隙間を調節し、気流分布を改善する。【選択図】図１３
2007155313.tif 000002
【特許請求の範囲】
【請求項１】
壁掛け型エアコンが設置されている空間において、エアコンの吹き出し口下方に、吹き出し気流を一部通過させることが可能なメッシュ状平面布または平面状の多孔パネルの通気性平面材の一端を固定具にて固定し、他端を、エアコンの吹き出し口前方上部に固定具にて固定することにより気流を拡散させると共にドラフトの快適化および室内温度を均一にするインテリアカーテンダクト装置。
【請求項２】
この通気性平面材を暖房運転時には、壁掛け型エアコンの吹き出し上部とエアコンの吸い込みグリルの下部の合間に固定手段にて取り付け、通気性平面材又は通気性のない平面体をエアコンの下方に垂下させて取り付けることにより、暖房運転時の気流分布の均一化およびドラフトの快適化、床面の温度分布を改良する請求項１のインテリアカーテンダクト装置。
【請求項３】
天井設置の天井カセット型エアコンが設置されている空間において、エアコン室内機の吹き出し口と吸い込み口の間に、吹き出し気流を一部通過させることが可能なメッシュ状平面布または平面状の多孔パネルの一端を固定具にて固定し、他端を、吹き出し口前方上部に固定具にて固定することにより気流を拡散させ、室内温度を均一にするインテリアカーテンダクト装置。
【請求項４】
上記請求項１及び２及び３に採用する通気性平面材に模様を施すことによりインテリアの実現と室内の模様替えを可能にする上記請求項１及び２及び３のインテリアカーテンダクト装置。
【請求項５】
エアコン室内機の吹き出し部近傍の通気性平面材に開閉可能な開口部または吹き出し気流が通過容易な荒いメッシュ部分を設け、暖房時の下吹き暖気流を通過し易くすることを可能にした請求項１及び３のインテリアカーテンダクト装置。
【請求項６】
本インテリアカーテンダクト装置の通気性平面材の端部及び平面部に垂直な方向に風向を調節するシートを部屋の状況に合わせて設置することにより、気流を調節することを可能にする上記請求項１及び２及び３のインテリアカーテンダクト装置。
【請求項７】
この通気性平面材の端面と冷房時は天井との隙間を、又、暖房時は壁面との隙間を調整することにより、気流を調整することができる上記請求項１及び２及び３のインテリアカーテンダクト装置。
【請求項８】
この通気性平面材の布状の平面材をロールカーテン機構に組み込んだ上記請求項１及び２及び３のインテリアカーテンダクト装置。
【請求項９】
上記請求項１及び２及び３のインテリアカーテンダクト装置を固定するための取り付け手段を具備している空調機室内機。
【請求項１０】
壁掛け型エアコンにおいて、上記インテリアカーテンダクト装置が設置されており、その暖房運転時において、エアコンの吹き出し口下方の暖気気流内に加湿機能を有した上記請求項２のインテリアカーテンダクト装置。
【発明の詳細な説明】
【技術分野】
【０００１】
本考案は、空調機の室内機を設置した場合の室内の気流分布改善を実現するために室内の状況に合わせて気流および温度分布を改善することである。
【背景技術】
【０００２】
空調機は、一般的に部屋の大きさ、平面形状等により室内機の設置場所が建築構造上の理由や室内の家具等の配置等により気流や温度分布が最適になる位置に設置することが困難になる。
【０００３】
そのために気流分布が悪くなり、人に直接吹き出し空気が当たって冷房病等の弊害がもたらされてたり、暖房時にはエアコンで暖気を下方に吹き出しているが、風速が遅くなると床面が暖まらなく天井近辺との温度差が大きくなる等の不具合が発生しているが、これらを改善し、室内機の設置場所によるこれら弊害を改善するための装置である。
【０００４】
本装置は、平面状であってもエアコンの吹き出し口に空気通路を形成し、ダクトと同様の機能を有し、この平面材に模様等を施すことによりインテリアの一部にも応用できるため、インテリアカーテンダクト装置と呼ぶものである。
【発明の開示】
【発明が解決しようとする課題】
【０００５】
課題１（請求項１及び３に対応）
空調機において、吹き出し口から吹き出される気流の風速は一般的に１から３ｍ／秒であるが、この風速の気流が室内に吹き出された場合、距離によっては人に当たる風速が０．５から１ｍ／秒になり、長時間この気流に当たるとその空気温度が２５から２７℃前後であっても皮膚の表面の汗等が蒸発するときの蒸発潜熱効果、熱伝達効果等により皮膚温度が低下し、冷房病等の体調不良を誘引する。
【０００６】
それを防止するため一般的には風向を自動的に幅広く左右や上下に変更する方法が取られているが、そのサイクルは１５秒から数十秒／回であり、睡眠時や仕事時等のように長時間このサイクルで早い風速に間欠的に晒されると同様の体調不良が発生するので、本考案は、人に当たる風速を部屋全体に均一な超微風（０．１から０．２ｍ／秒）にして、この問題点を解決することが課題１である。
【０００７】
課題２（請求項２に対応）
また、暖房時には、エアコンでは暖気を下吹きにされているのが一般的であるが、暖気の風速が低くなった場合等は極端に床面の温度が低くなり、上下の温度差が大きく、不快であり床暖房のような快適な暖房を得ることが困難であり、結果的に非省エネになっているが、これらの問題点を空気式床暖房効果に近づけ、更に室内空間の温度分布をより均一にすることが課題である。
【０００８】
課題３（請求項４に対応）
本考案の天井部に設置する本インテリアカーテンダクト装置に、色々な用途に応じて、印刷模様や織り模様および色彩を施すことにより、天井の内装工事を実施しなくともその部屋のインテリアの雰囲気を簡単、且つ安価に変更できるようにすることが課題である。
【０００９】
課題４（請求項５に対応）
空調機は冷暖房式が主流であり、冷房時は水平方向吹き出しが主体となるが、暖房運転時の特に立ち上がり時は下吹き出しが重要である。
【００１０】
この下吹き暖房運転時に本インテリアカーテンダクト装置を使用する場合においても冷房運転時の取り付け状態のままで、支障なく運転可能にすることが課題である。
【００１１】
課題５（請求項６に対応）
部屋が広い場合や室内機が部屋の隅にしか設置できない時等には、風量を強制的に部屋の対角線上に送ることが必要になるが、これを実現することを課題とする。
【００１２】
課題６（請求項７に対応）
室内機からの気流を遠くにとばす必要がある場合に、本インテリアカーテンダクト装置の平面材の室内機とは反対の先端に、必要量に応じて冷房時には天井面、暖房時には壁面との隙間を設けると同時に、この隙間の大きさを調整可能にすることにより室内空間の気流改善および温度分布の均一化を実現することを課題とする。
【００１３】
課題７（請求項８に対応）
本考案の布状のインテリアカーテンダクト装置を空調機を使わないときに簡単にワンタッチで収納可能にすることと平面材に積もる綿埃等の掃除を容易にすることを実現させることが課題である。
【００１４】
課題８（請求項９に対応）
本考案のインテリアカーテンダクト装置の空調機側の固定方法を壁や天井ではなく、空調機の室内ユニット自身に設けた取り付け手段にて取り付けることを実現することが課題である。
【００１５】
課題９（請求項10に対応）
壁掛け型空調機において、暖房運転時には湿度が低下し加湿の必要性が高くなり、従来では超音波式や電気ヒーターによる加熱蒸発式等の単独の加湿器が採用されていることが多いが、これらはエアコンとは別の場所にあり、エアコンの暖気そのものを加湿出来ないため、この暖気に直接あたると、肌が乾燥しやすいという問題点がある。これらを解決することが課題である。
【００１６】
また、電源が必要であったり、コストが高くなったり、超音波式ではタンク内の雑菌が空中に放出される等の問題点があるが、本考案は、これらの問題点を解決することが課題である。
【００１７】
加湿手段には自然蒸発式の加湿手段も考えられるが、この方法では、蒸発量が少なく、十分な加湿が出来ないという問題点があるが、これらを解決することが課題である。
【００１８】
また、単独の加湿器を室内にて使用すると、その加湿器の湿度吹き出し口近辺が高湿度であることにより、障子やカーテンが水でぼとぼととなり、シミ等が発生して問題となるが、このような問題点を解決し、瞬時に部屋全体の湿度を均一にすることが課題である。
【課題を解決するための手段】
【００１９】
課題１の請求項１に対する解決手段について記述する。図１は、約１０坪の事務所に壁掛け型エアコンを部屋の隅に設置したケースである。Ａ、Ｂ、Ｃ、Ｄ４名の作業者が仕事をしている状況において、吹き出し冷気は直接作業者Ａに風速約０．６ｍ／秒で当たっている。
【００２０】
このときエアコンの風向調節を左に向けているがこのような状態について実験で確認したところ、１時間以上仕事をすると、約２６℃の空気温度であってもA氏の体が冷えてくる。また、吹き出し冷気が低温度であることによって足元が約２３℃、風速０．６ｍ／秒となっており、足部および胴体部が冷え切ってきて体調を悪くすることが多々あった。
【００２１】
これを改善するために、図２に示すように壁掛け型室内機本体１０１の下部に気流の速度を落とすためにインテリアカーテンダクト装置を設置すると、Ａさんに当たる風速は、約０．６ｍ／秒から０．１５ｍ／秒に改善されており、足元の風速も０．１ｍ／秒になり、かすかに風速を肌で感じるレベルに改善され、長時間快適な作業ができるようになった。
【００２２】
一般的に人が頬で感じる風速限界は約０．１ｍ／秒と言われていることから考えると非常に快適であり、風速が低いので人の汗の蒸発による体温低下も改善されたと考えられる。
【００２３】
また、図３に示すように本インテリアカーテンダクト装置の先端部に天井との隙間Fを設けると隙間部分の冷気の風速Ｖ１は約１．０ｍ／秒となり、隙間のない場合が０．２ｍ／秒であるのと比べて気流を早くすることができる。よって、吹き出し口遠方にも気流を送ることができるので、温度の不均一性を改善することができる。しかも、気流は、天井沿いに流れることになり、遠方に座っている人には速い気流が直接当たらないので、人体には０．１ｍ／秒に近い風速の気流を得ることができる。
【００２４】
課題２の請求項２に対する解決手段について説明すると、図２３において、インテリアカーテンダクト平面材２０１の一端を吹き出し口上部に取り付け、他端を垂下させることにより、暖房気流Ａ２３０７が床面まで到達し、空気式床暖房のような足下が暖かい暖房運転が可能になり、同時に暖房気流Ｂ２３０８も平面材の側面から室内に放出されるため、部屋全体にも暖気が行き渡り快適な暖房運転が実現できる。
【００２５】
課題１の請求項３に対する解決手段について記述すると、一般住宅の和室１０畳で、天井カセット型１方吹き出し式室内機が設置されている場合で説明すると、図４は従来の据付時の気流を示しており、この場合吹き出し風速が速い冷気が正面の壁に当たり、冷房時は冷気流が降下して床面の風速Ｖyは約０．５ｍ／秒となっているため、床に布団を敷いて睡眠すると冷気が背中等に当たり睡眠中の夜中に体が冷えすぎて体調を崩すことがあり冷房連続運転が嫌われる理由になっている。
【００２６】
特に、冷え性の女性や高齢者はこの睡眠中の皮膚からの冷却により深部体温が下がり快適な睡眠ができなかったり、お腹をこわしたりする等の弊害が良く発生すると言われている。
【００２７】
本考案は、これらの問題点を改善するために、エアコンの吹き出し口と吸い込み口の間に図５のようにインテリアカーテンダクト装置を設置すると、図６のように、床面の風速Vyは０．１ｍ／秒レベルに小さくなり、同時に風速Vzも０．２ｍ／秒レベルに小さくなるので、部屋全体の気流分布、及び温度分布を一層改善することが可能になる。
【００２８】
同様に、天井カセット式多方向吹き出し式室内機についても図２２のように、各吹き出し口に同様のインテリアカーテンダクト装置を取り付けることにより、同様の効果が得られる。
【００２９】
また、インテリアカーテンダクト装置の平面材に光触媒を担持している部材を採用すると、脱臭効果や空気中の浮遊菌の不活性化が可能となり、お年寄りの部屋や病院等では、気流改善に加えて、より一層効果を発揮することが可能となる。
【００３０】
課題３（請求項４に対応）の解決手段について説明すると、壁掛け式室内機、天井カセット型室内機共に、本インテリアカーテンダクト装置をエアコンの吹き出し口部に天井相当部に平行になるように設置し、図２および図５のインテリアカーテンダクト２０１の平面部に、夜空等の自分の好みの絵や模様を印刷、または折り込むことを実施すると天井のデザインを好みの色や模様や景色等に容易に変更することが可能になる。
【００３１】
即ち、天井自身を内装工事にて張り替えることなくインテリア変更が可能になり、店舗等に適応した場合は安価に短期間での店内の内装デザインのリフォームが可能になる。また、本インテリアカーテンダクト装置を容易に取り外し可能にすると汚れた場合の洗浄も簡単になり、費用をかけずに洗浄を実施できるのでメンテナンスが容易となる。
【００３２】
課題４（請求項５に対応）に対する解決手段について記述すると、図７に示すようにインテリアカーテンダクト装置の暖房時吹き出し空気部分で、室内機に近いところに、目の粗く通気性能の良いシート部４０２、または開口部を設けると、暖房時には吹き出し口フラップを下方にするため、風量の大半はこの暖気の抵抗が少ない部分を通過して下吹き暖房運転が可能となる。
【００３３】
尚、冷房時は、図８のように風向変更フラップを平行にするため、この目の粗い部分からは殆ど冷気が吹き出さないことになり、冷房運転時の快適な気流と温度分布が得られることになる。
【００３４】
また、室内機の吹き出し部分のインテリアカーテンダクト装置部分に吹き出し口の巾全体に冷房時は閉、暖房時には開放できる扉を設けることによっても、同様の快適な気流と温度分布が得られるのである。
【００３５】
課題５（請求項６に対応）に対する解決手段について記述すると、図２および図５において、本考案のインテリアカーテンダクト装置の先端部に風向変更様はねを設置する（各図E部参照）ことにより、空調機が部屋の隅に設置されても気流を送りたい方向に大きく気流を向けることが可能になり、快適な風速分布と均一な温度調節の実現が可能になる。
【００３６】
尚、風向を変更する方法には風向変更垂直シートを冷気が少なくて良い側の平面材に設置して冷気が必要な広い空間への風量を多くすることやインテリアカーテンダクト装置の平面部に気流を届かせたい方向に風向変更部材をシート面に直角の方向で設けて風向を変えることも有効である。
【００３７】
課題６（請求項７に対応）に対する解決手段について記述する。図２および図５において、インテリアカーテンダクト装置の先端E部に間隙Fを設けるようにすれば、空調室内機の吹き出し口から遠い方への風量を多くすることが可能になり、室内の気流の循環が良くなり、温度及び気流分布がより一層改善することが可能となる。
【００３８】
また、インテリアカーテンダクト平面材２０１に布等の腰のない物を使用する場合は、布状の平面材の端にアルミパイプや樹脂、木材などの補強材１０２２を付けることにより、布状のインテリアカーテンダクト装置を天井から垂れ下がることなく緊張された状態で設置することもできる。
【００３９】
また、図９のように、この先端の左右での隙間を変更するようにすれば、先端からの左右の風量を変化させることが可能になり、部屋の遠くの左右での気流到達量を最適になるように調整でき、より一層快適な気流分布と均一な温度分布を実現することが可能になる。
【００４０】
課題７（請求項８に対応）に対する解決手段について記述すると、図１０において、本考案のインテリアカーテンダクト装置の布状の平面材を収納可能なロールカーテンユニットに組み込み、ロールカーテンの本体を天井または壁面に取り付けられたロールカーテン固定具１０２３に取付け、ロールカーテンの先端部を天井または壁面に取り付けられたロールカーテン固定用ステー１０４に引っかけるようにする。空調機を使用しない中間季節には、インテリアカーテンダクト装置の先端部と本体部を取り外し可能にしておけば、平面材の収納や洗浄が容易に実施できる。
【００４１】
同様に、天井カセット型室内機の場合を図１１に示す。
【００４２】
課題８（請求項９）に対する解決手段について記述すると、図１２において、本インテリアカーテンダクト装置を室内機側に固定する場合、壁掛け型においてはその本体部の下面または側面部に取り付けネジを設けておくとそのネジを利用して、室内機側の固定が可能になる。
【００４３】
また、既設の壁掛け型エアコン室内機においては、固定のボルトまたはナットを本体に取り付けることによって、容易に固定が可能になる。
【００４４】
図１２の天井カセット型室内機の場合は、図１２のように室内機の本体の枠または、吸い込みグリルの脱着に支障のない本体部分に本インテリアカーテンダクト装置取り付け用金具を固定するために空調機側に固定用のネジまたはボルトを設けることで固定が容易になる。
【００４５】
既存の天井カセット型の場合は、空調機の本体枠の部分で、且つ、エアフィルター交換用の吸い込みグリルの脱着に障害が発生しない部分にネジまたはボルトを設けることで、本インテリアカーテンダクト装置の空調機側の固定が容易にできる。
【００４６】
請求項１０の課題についての解決手段について説明すると、図２３のように壁掛け型下吹き式エアコン室内機２３０２の暖気吹き出し口２３０５の上部にインテリアカーテンダクト平面材２０１の一端を固定し、他端を下方に垂下させることにより、暖房運転時の暖房気流Ａ２３０７が図のように吹出される。この暖気通路部２３０６内に加湿器を設けることにより暖気そのものを加湿する。また、自然蒸発式加湿器を採用する場合は、暖気により加湿性能を向上させることも可能である。
【００４７】
また、超音波式や電気ヒーター式の加湿器を採用する場合も、同様に暖気そのものを加湿する。このとき、暖房時の湿度の低い暖気に対して加湿を行うため、加湿器を設置した場合に発生する、周辺の濡れを防止することも可能である。さらに、本考案では、暖気と同時に部屋全体に湿気も供給されるので、部屋全体の湿度の均一化を非常に早く実施することも可能になる。
【発明の効果】
【００４８】
請求項１及び３に対する本考案の効果は、空調機を運転している部屋にいる人が、空調機の風を長時間浴びることによる体のだるさや冷えなどの不快感を取り除くことである。
【００４９】
また、インテリアカーテンダクト装置の平面材に光触媒担持部材を用いると、気流自身の臭いを取り除いたり、浮遊菌を除菌したりすることも可能となり、室内の空気をきれいにすることにより、より一層快適で安心な空気環境が得られる。
【００５０】
請求項２に対する効果について説明すると、従来のエアコンの暖房運転時におけるエアコン吹き出し口からの下向き暖気気流では、床面まで暖気が届きにくいため、足下が寒く、上下の温度差も大きく、暖気のドラフトが顔等に当たり不快であったが、本考案の方式では、空気による床暖房に近似した、足下を暖めることが可能な快適暖房で、顔等に暖気ドラフトが当たらないため不快感が無くなり、室内の上下の温度差も改善されて、結果的に省エネにも寄与できると言う効果がある。
【００５１】
更に、インテリアカーテンダクト装置では、エアコン本体の左右にも暖気を吹き出すため、室内全体の気流改善と温度分布の均一化が実現できるという効果が発揮できる。
【００５２】
請求項４に対する本インテリアダクト装置を取り付けることによる効果は、室内空間のデザインの悪さやデザイン的不快感を和らげ、逆に気持ち良く感じることができる効果である。
【００５３】
また、取り外しができることにより、簡単にイメージを変え得ることにより、デザイン的に飽きの来ない室内空間のデザインを演出ができるという効果もある。
【００５４】
また、天井カセット型室内機の場合に本考案を採用すると、空調機を隠蔽する天井のインテリアが可能になると同時にインテリアリフォーム時には、このインテリアカーテンダクト装置のみを変更することにより簡単で安価なインテリアリフォームが可能となる。
【００５５】
請求項５に対する本考案の効果は、運転をすることを想定した場合に、請求項１および請求項３に示すシートや平面パネルなどを設置した場合でも、暖気が床まで届かなくなることを解決し、快適な暖房効果が得られる。
【００５６】
請求項６に対する本考案の効果は、本考案を設置した付近だけではなく、それ以外の部分、特に室内機から左右遠方の場所に室内機からの気流を送るようにすることにより、より快適な室内空間を実現できる効果がある。
【００５７】
請求項７に対する本考案の効果は、インテリアカーテンダクト装置の室内機の反対側の端の天井相当部との隙間を調整できるようにすることにより、遠方への空気を送る量が調整できる効果がある。
【００５８】
また、平面材に布などのシートを使用した場合に、補強材を用いるとそのシート自身がたるんでしまうことによる見栄えの悪さや、室内機からの冷気や暖気がシートの両側から逃げやすくなり、遠方へ空気を送ることができなくなったりすることを改善する効果が得られる。
【００５９】
請求項８に対する本考案の効果は、本考案が不要な場合に、簡単にシート自身を収納することができる効果があると同時に綿埃等の掃除も容易にできる。
【００６０】
また、シート状のものがたるんでしまうことによる見栄えの悪さを改善する効果もある。
【００６１】
請求項９に対する本考案の効果は、新品の室内機および既設の室内機にも本インテリアカーテンダクト装置の空調機側固定が容易にできると同時に、壁、天井等の建築物に傷を付けることなく設置が可能になる。
【００６２】
請求項１０の課題についての解決手段による効果について説明すると、暖気流内に加湿器を設けることにより、高温で湿度の極端に低い暖気そのものを加湿出来るため、暖気が直接当たるところでのお肌や絵画等の乾燥を和らげることが出来る。
【００６３】
また、通常の超音波式、電気加熱式や自然蒸発式の加湿器を設置した場合に発生する、湿度吹き出し口の近くのカーテンやふすま、障子等が多湿により、水でぼとぼととなってしまう問題点も、乾燥した暖気に対して直接加湿することによって、水分を含みすぎない湿気を供給できる効果がある。
【００６４】
また、加湿器に自然蒸発式加湿器を採用した場合、空調機の暖房運転時の暖気が加湿のための加湿エネルギーとなるため、自然蒸発式であっても十分な加湿性能が得られる。また、この方式では、電源が不要で省エネになり、水や水タンクの清掃も簡単になり、タンクと加湿エレメントのみで実現できてコストも安い加湿機能が得られると言う効果が実現できる。
【００６５】
本考案では、暖気に直接加湿するために、室内への湿度の循環が通常の加湿器を設置するよりも早くなり、均一な湿度の快適化を短時間に実現することができる。
【発明を実施するための最良の形態】
【００６６】
最良の形態の内、ロールカーテンを使用した場合の最良の形態について図１３、図１４にて説明する。壁掛け型室内機本体１０１の下側から、前面遠方に向かって、ロールカーテン型インテリアカーテンダクト１０３をロールカーテン取付具１０２、ロールカーテン固定用ステー１０４を用いて固定する。
【００６７】
１０４は１０４拡大図に示す様に、天井への取り付けステー１０５によって、天井にネジ等で固定され、１０３は、ロールカーテン取り付けステー１０６によって、はめ込み、又はネジ止めなどにより取り付けることができ、また、高さ調整ステー１０７によって、天井とカーテンの隙間を調整することができる。
【００６８】
このことにより、１０１の吹き出し口から出た空気が、１０１近辺下付近にはシートを通して空気が漏れ出ることになり、人体等に強い風が直接当たることを防ぐ。                              
【００６９】
また、前方の隙間から直接空気が出ることにより、１０１の遠方に対しても空気を送ることが可能になる。この際、天井付近にこの空気の吹き出し口を設けることにより、強い風が直接人体等に当たらない効果も併せて得られる。
【００７０】
さらに、１０４は、１０３の左右に取り付くことになるので、各々の１０７を調整することにより、吹き出し口の左右の高さが調整できるので、遠方へ送る空気の風量と風向を調整することができる。
【００７１】
なお、インテリアカーテンダクト装置の平面材に光触媒担持部材を用いると、気流自身の臭いを取り除いたり、浮遊菌を除菌したりすることも可能となり、室内の空気をきれいにすることにより、より一層快適で安心な空気環境が得ることができる。
【００７２】
また、１０３の下面には、室内のインテリアのために、デザイン画などを施すことにより、部屋の雰囲気を良くすることができる。
【００７３】
加えて、図１４に示すように、室内機の吹き出し口の前方の吹き出し口の風向変更羽根９０４が水平になったとき（冷房運転時）に下方に気流が出なく、風向変更羽根９０４が下方向きになったとき（暖房運転時）に気流が下方に流れる位置に、室内機本体への取り付け金具９０１をＬ字型にし、その先端にロールカーテン本体９０２を取り付ける。
【００７４】
冷房運転時は天井の固定用のステー１０４にロールカーテンの先端部を固定して快適な冷房環境が得られる。
【００７５】
暖房運転時は、壁面下部に取り付けたロールカーテン固定用ステー１０４にロールカーテンの先端部を取り付けることにより、暖気が下方に吹き出し、床面まで暖気が届くので、暖房運転時の足元部と上方部との温度差を小さくできると同時に壁掛け型室内機の吹き出し口１００６からの直接の暖気のドラフトを感じない快適で温度ムラのない暖房運転が可能となる。
【００７６】
尚、暖房運転時のインテリアカーテンダクト装置の平面材は、冷房時の結露防止に対する必要性がないため、通気性を有しない物質であっても採用は可能である。
【実施例１】
【００７７】
請求項１および３に関する実施例について記述すると、図１５において、シート状のインテリアカーテンダクト平面材２０１を、図１５で示したシート取り付けステー２０２を用いて、壁掛け型室内機本体１０１の下方から前方へ取り付ける。
【００７８】
この２０１については、メッシュ状の布製シートまたは、メッシュ状のパネルを用い、１０１から吹き出す風を弱く、且つ一部通過できるようにし、メッシュの細かさについては特に指定はしないが、２０１の真下において、風速が約０．２ｍ／秒程度以下の風速になる様なものとする。
【実施例２】
【００７９】
請求項２に関する実施例について、図２３にて説明すると、図２３において、インテリアカーテンダクト平面材２０１が、壁掛け型下吹き出しエアコン室内機２３０２の暖気吹き出し口２３０５の上端と吸い込みグリル２３０４の下端の間に、設けられている平面材固定手段２３０３により取り付けられており、平面材２０１の他端が下方に垂下されていることにより、空調機２３０２の吹き出し口２３０５から吹き出される暖房運転時の暖気は、空調機２３０２が取り付けられている壁面２３１５と、平面材２０１とで、空気通路が形成されて、床面まで暖気を導くことができる。
【００８０】
また、この平面材２０１の先端に平面材下部心棒２３１２を設けると、平面材２０１が緊張状態で垂下できると同時に、暖気により動くことも防ぐことが可能である。
【００８１】
この心棒を壁面２３１５に固定具を用いて固定することも可能であり、そのとき平面材２０１と壁面２３１５の隙間の大きさを変えることにより左右の暖気吹き出し風量も調節できるので、空調機２３０２が部屋に取り付けられている位置による室内温度分布不具合をこの隙間調節によって解消できることになる。
【００８２】
本考案のインテリアカーテンダクト装置の平面材を暖房運転時と冷房運転時毎に個別に準備する場合は、冷房時は結露を防止するために通気性が必要であるが、暖房専用の平面材は結露も心配は無いので、通気性を有さなくとも良い。
【実施例３】
【００８３】
請求項３に関する実施例について記述すると、図１６において、天井カセット型室内機本体３０１の吹き出し口下後方に、天井への取付具（手前）１０１５を用いてインテリアカーテンダクト平面材２０１の片側を取り付け、天井カセット型室内機本体３０１の吹き出し口前方に平面材固定手段である天井への取付具（遠方）１０１６を用いて２０１のもう片方の端を取り付ける。
【００８４】
この平面材２０１の取り付け手段については、室内機に直接接着剤や粘着材で取り付けすることも可能であり、天井部相当部への取り付け手段についても天井相当部にフックで引っかける手段および鎖で吊り下げ隙間を調整する方法も含んでおり、平面材の材質については、実施例１同様の仕様の平面材とする。
【実施例４】
【００８５】
請求項５に関する実施例で、壁掛け型室内機本体１０１について図１７および図１８で説明すると、実施例１および３に示したインテリアカーテンダクト装置と同様に、壁掛け型室内機本体１０１の吹き出し口下後方から前方にダウンフロー対応インテリアカーテンダクト平面材４０１を設置する。
【００８６】
この４０１は図にも示しているように、室内機１０１吹き出し口真下付近から、前方部分において、より風を通し易いシート部を設けることによって、暖房時に真下に吹き出す強い暖気を通しやすくすることができる。
【００８７】
また、この部分はシートだけではなく、より風を通すパネルであっても良いし、あるいは単純な開口でも良いものとする。
【００８８】
天井カセット型室内機について図１８で説明すると、壁掛け型室内機の場合と同様に、天井カセット型室内機本体３０１の吹き出し口下後方から前方にかけてダウンフロー対応インテリアカーテンダクト平面材４０１を設置すると、室内機３０１の吹き出し口真下付近から、前方部分において、より風を通し易いシート部を設けてあることにより、暖房時の真下に吹き出す強い暖気を通しやすくすることができる。
【００８９】
また同様に、この部分はシートだけではなく、より風を通すパネルであっても良いし、あるいは単純な開口でも良いものとする。
【実施例５】
【００９０】
請求項６に関する実施例について、図１９で説明すると、平面材の先端を固定する手段天井への取付具（遠方）１０１６に風向変更はね５０１を取り付け、５０１の角度を変えることにより、１０１から吹き出してくる風の向きを変えることができる。
【００９１】
両側の１０１６の間を風向板取り付けステー５０２でつなげ、その上に５０１を取り付け、レバー５０３を動かすことによって、そのレバーに連結している５０１を稼働させることが可能となる。
【００９２】
この風向調節方式は、前述のはね５０１により実現する方法のみでなく、平面材上に補強材を施し、一枚又は数枚の風向板を設ける手段や、一枚または数枚の平面材を天井相当部から吊り下げる取り付け手段にて吹き出し風向に対して必要な角度をつけることによっても可能である。
【００９３】
また、図２１に示す様に、インテリアカーテンダクト平面材２０１と天井の間を７０１に示すシートあるいはパネルなどで塞ぐことにより、インテリアカーテンダクト装置から吹き出す風１０２４の量と方向を変えることもできる。尚７０１をB面に設置せずにA面に設置することも可能であり、その時は、風１０２４の向きを対象に変える事も出来る。
【実施例６】
【００９４】
請求項７に関する実施例について記述すると、最良の形態の中で、遠方へ送る空気の風量と風向を調整する方法にて、具体的例を挙げているのでここでは省略する。ただし、この時、インテリアカーテンダクト平面材２０１がたるむ事により調整が困難な場合は、図２０に示すように、インテリアカーテンダクト装置のシート状の平面材の両側に補強用の棒６０１を取り付けることにより、シート状の平面材の両サイドのたるみを防ぐことにより、調整を可能にする。
【実施例７】
【００９５】
請求項８に関する実施例については、図１４に示す最良の実施例に記述しているのでここでは省略する。
【実施例８】
【００９６】
請求項９に関する実施例について図１２にて説明すると、壁掛け型の場合は室内機本体８０１の側面に取り付け用のボルトまたはナット８０２を設けておき、これにインテリアカーテンダクト装置取り付け部材８０３を固定すれば、壁８０４に取り付けずともインテリアカーテンダクト装置の空調機側の固定が容易に実施できる。
【００９７】
既設の室内機においてもこの本体にインテリアカーテンダクト装置取り付け部材８０３を樹脂用ネジ等を使って直接固定すれば容易に固定が可能であり、壁に傷を付けなくとも取り付けが可能であり、またエアコン本体に直接接着材や粘着材で固定することも可能である。
【００９８】
天井カセット型室内機の実施例を図１２にて説明すると、室内機本体枠８０５に設けられた組み込みナット又はボルト８０７を使って、取り付け金具８０６を固定し、これに平面材固定部材８０８を取り付けボルト等で固定することによって、容易に空調機側の固定が可能になる。
【００９９】
上記以外にも天井カセット型室内機本体の図１２のH部にネジを埋め込んでおくことも有用であり、既設の空調機に設置する場合は、このH部に直接固定することも可能である。
【０１００】
天井カセット型室内機の場合は、図１２のように、吹き出し口のドラフトが大きい吹き出し口のみに取り付けることも可能であるが、図２２に示すように、全吹き出し口に設置することが有効である。
【０１０１】
この場合は、図１２に示す固定方法を利用して、天井カセットの全周に本考案のインテリアカーテンダクト装置を設置すると、図２２に示すようにインテリアの特長ある雰囲気を作る場合に最適である。
【０１０２】
また、図２２において、天井カセット室内機の吸い込み口全周にショートサーキット防止板８１０を設けることにより、ショートサーキットが起こらなくすることができ、インテリアカーテンダクト装置を安心して採用できる。また室内機を隠蔽して室内のインテリアデザインに合わせたコーディネートが可能になる。さらに、１０１３の周りに取り付け内枠１０２５を設け、インテリアカーテンダクト平面材２０１の外側の取り付け部に取り付け外枠１０２６を設け、取付具を一体化すれば、取り付けや交換が容易にできる。
【実施例９】
【０１０３】
請求項１０に関する実施例を図２３にて説明すると、図２３において、本考案のインテリアカーテンダクト平面材２０１が、壁掛け型下吹き出し冷暖房機２３０２の暖気吹き出し口２３０５の上端と吸い込みグリル２３０４の下端の間に、設けられている通気性平面材固定手段２３０３により取り付けられており、平面材２０１の他端が下方に垂下されていることにより、空調機２３０２の吹き出し口２３０５から吹き出される暖房運転時の暖気は、空調機２３０２が取り付けられている壁面２３１５と、平面材２０１とで、暖気通路部２３０６が形成されて、床面まで暖気を導くことができる。
【０１０４】
このように形成されている暖気通路部２３０６に、図２４の１）に示すように、水タンク２３１０に加湿用水２３１１を蓄え、加湿エレメント２３０９（図２４の３）に例を示す）を水に浸積しておくと、加湿エレメントが有する毛細管現象で加湿用の水が吸い上げられ、暖気にさらされるので、自然蒸発式の加湿が可能となる。
【０１０５】
この自然蒸発式加湿器は、図２４の２）に示す、暖気通路部２３０６内にあれば、直接暖気に触れる事になるので、室内の他の部分に設置した場合より高性能な加湿性能を得ることができる。
【０１０６】
具体的位置について説明すると、図２４の２）の空調機吹き出し口近傍２３１９の位置に設置した場合は、空調機本体に固定する方法も可能であり、暖気の温度が一番高いので自然蒸発加湿エレメントであっても、性能が出やすい位置である。
【０１０７】
また、通気性平面材の内側２３１６の位置に設置した場合は、平面材２０１に加湿器を取り付ける方法も採用でき、この場合は、手が届き易い位置であり、給水が容易になる。
【０１０８】
通気性平面材の外面部２３１７に加湿器を取り付けるケースでは、加湿エレメントのある部分の平面材２０１に暖気を吹き出す開口部を設ければ加湿性能に弊害は起こらない。
【０１０９】
また、水タンクの水位や汚れ度合いが見えやすくなることにより、水やタンクの汚れに気付き易く、水の補給忘れを防ぐと同時に、タイミング良くタンクの洗浄作業ができて、タンクおよび水を常に清潔にすることが容易になる。
【０１１０】
更に、加湿器の水タンク２３１０を、加湿エレメント２３０９に暖気を直接触れさせることができる壁面２３１５に取り付ければ、水がこぼれる心配もなく安定した取り付け位置であると言える。
【０１１１】
また、この水タンク２３１０に、平面材２０１の先端部の平面材下部心棒２３１２を固定すれば、平面材も安定した取り付け位置であると言える。
【０１１２】
尚、この暖房運転時に限れば、通気性平面材は、通気性を有しない平面材であっても支障なく暖房運転や加湿性能が確保できるので、冷房運転時の通気性平面材と暖房運転時の通気性平面材を別々にする場合は、暖房用の平面材については、通気性に限定する必要は無いことになる。
【０１１３】
言い換えると、冷房運転と暖房運転を同一にする場合は、通気性平面材で対応することが、コストや取り扱い上好ましい方法であると考えられる。
【０１１４】
一方、図２３に示す暖気通路部２３０６内に超音波式加湿器を設置すると、超音波発信器により微粒子化された水が、乾燥した暖気により即刻水蒸気化され、さらに、乾燥した暖気に対して直接加湿することになり、水分を含みすぎない空気を供給するので、微粒子化された水によるシミ等の発生を防ぐことができる。よって、この暖気通路部２３０６内に、既存の超音波式や電気式加湿器を設置することも加湿方式として有効な方法である。
【０１１５】
更に、本方式での加湿方法では、吹き出されている暖気に直接加湿するので、間接的な空気循環による従来の均一化効果より、部屋全体の湿度の均一化を早く実現できる方式でもある。
【産業上の利用可能性】
【０１１６】
本考案は、空調機の室内ユニットへの適用だけではなく、劇場などの大空間用ダクト吹き出し式にも適応可能である。
【０１１７】
また、電車、バス、自動車、航空機などの乗り物の空調機の吹き出し口や、野菜・肉などの保存用冷蔵庫の吹き出し口にも適応可能である。
【図面の簡単な説明】
【０１１８】
【図１】壁掛け型室内機取り付け時の気流の現状を示す図である。
【図２】壁掛け型室内機用のインテリアカーテンダクト装置の概要図である。
【図３】壁掛け型室内機用のインテリアカーテンダクト装置を取り付けた場合の気流の改善を示す図である。
【図４】天井カセット型室内機取り付け時の現状を示す図である。
【図５】天井カセット型室内機用のインテリアカーテンダクト装置の概要の図である。
【図６】天井カセット型室内機用のインテリアカーテンダクト装置を取り付けた場合の気流の様子の図である。
【図７】暖房時の気流の流れ方の図である。
【図８】冷房時の気流の流れ方の図である。
【図９】風向を変えるための隙間の変え方の図である。
【図１０】壁掛け型室内機用のロールカーテン型インテリアカーテンダクト装置の図である。
【図１１】天井カセット型室内機用のロールカーテン型インテリアカーテンダクト装置の図である。
【図１２】空調室内機にインテリアカーテンダクト装置の取り付けの実施例の図である。
【図１３】最良の形態のロールカーテンを利用した実施例の図である。
【図１４】最良の形態の暖房の快適性をより高める実施例の図である。
【図１５】実施例１の図である。
【図１６】実施例３の図である。
【図１７】実施例４の壁掛け型室内機の図である。
【図１８】実施例４の天井カセット型室内機の図である。
【図１９】実施例５の図である。
【図２０】実施例６の図である。
【図２１】実施例６の応用例の図である。
【図２２】実施例８の応用例の図である。
【図２３】実施例２の図である。
【図２４】実施例９の図である。
【符号の説明】
【０１１９】
101     壁掛け型室内機本体
102     ロールカーテン取付具
103     ロールカーテン型インテリアカーテンダクト平面材
104     ロールカーテン固定用ステー
105     天井への取り付けステー
106     ロールカーテン取り付けステー
107     高さ調節ステー
201     インテリアカーテンダクト平面材
202     シート取り付けステー
301     天井カセット型室内機本体
401     ダウンフロー対応インテリアカーテンダクト平面材
402     通気性良い部分部
501     風向変更用はね
502     風向板取り付けステー
503     レバー
601     補強用の棒
802     取り付けネジ又はボルト
803     インテリアカーテンダクト取り付け部材
804     壁
805     室内機本体枠
806     取り付け金具
807     室内機組み込みナット
808     平面材固定部材
810     ショートサーキット防止板 
811     取り付けボルト
901     室内機本体への取り付け金具
902     ロールカーテン本体
904     風向変更用羽根
1001   壁掛け型室内機設置時の吹き出し冷気
1002   リターン気流
1003   窓
1004   天井
1005   壁掛け型室内機の吸い込み口
1006   壁掛け型室内機の吹き出し口
1007   通過冷気
1008   インテリアカーテンダクト装置設置時のリターン気流
1009   遠方への気流
1010   天井カセット型室内機設置時の吹き出し冷気
1011   床面
1012   天井カセット型室内機吹き出し口
1013   天井カセット型室内機吸い込み口
1014   天井カセット型室内機設置時リターン気流
1015   天井への取付具（手前）
1016   天井への取付具（遠方）
1017   インテリアカーテンダクト装置を天井カセット型室内機に設置時の遠方への気流
1018   インテリアカーテンダクト装置を天井カセット型室内機に設置時の通過冷気
1019   インテリアカーテンダクト装置を天井カセット型室内機に設置時のリターン気流
1022   補強材
1023   ロールカーテン本体固定具
1024   風
1025   取り付け内枠
1026   取り付け外枠
1030  下吹き暖気流
2301   通気性平面体
2302   壁掛け型下吹き出し式エアコン室内機
2303   平面材取り付け手段
2304   吸い込みグリル
2305   暖気吹き出し口
2306   暖気通路部
2307   暖房気流Ａ
2308   暖房気流Ｂ
2309   加湿エレメント
2310   水タンク
2311   加湿用水
2312   平面材下部心棒
2313   ハニカム式光触媒加湿エレメント
2314   縦の通し材
2315   壁面
2316   通気性平面材の内側
2317   通気性平面材の外面部
2318   壁面への取り付け
2319   吹き出し口近傍
Ｖ1     冷気の風速
Ｖｙ    床面風速
Ｖｚ    インテリアカーテンダクト平面材を通過する風速
【図１】
2007155313.tif 000003
【図２】
2007155313.tif 000004
【図３】
2007155313.tif 000005
【図４】
2007155313.tif 000006
【図５】
2007155313.tif 000007
【図６】
2007155313.tif 000008
【図７】
2007155313.tif 000009
【図８】
2007155313.tif 000010
【図９】
2007155313.tif 000011
【図１０】
2007155313.tif 000012
【図１１】
2007155313.tif 000013
【図１２】
2007155313.tif 000014
【図１３】
2007155313.tif 000015
【図１４】
2007155313.tif 000016
【図１５】
2007155313.tif 000017
【図１６】
2007155313.tif 000018
【図１７】
2007155313.tif 000019
【図１８】
2007155313.tif 000020
【図１９】
2007155313.tif 000021
【図２０】
2007155313.tif 000022
【図２１】
2007155313.tif 000023
【図２２】
2007155313.tif 000024
【図２３】
2007155313.tif 000025
【図２４】
2007155313.tif 000026